(57)【要約】【課題】メモ台付き椅子において、その使い勝手を向上させると共に、美感の向上を図る。【手段】脚１の上端から前方に延びる片持ち梁状の固定支持体１０を備えており、この固定支持体１０の先端部に、前後方向に延びる第１軸線１４の回りに回動するように可動支持体を取付けている。可動支持体に、メモ台６のコーナー部を、第１軸線１４と直交した第２軸線１５の回りに回動するように取付けている。メモ台６のコーナー部には取付け用の取付け穴２７が空いており、これをカバー２６で塞いでいる。【選択図】　　　図２
2004129721.tif 000002
【特許請求の範囲】
【請求項１】
座の側部上方に設けた固定式支持体に、可動支持体を、椅子の正面視で略前後方向に延びる第１軸線の回りに回動するように取付け、この可動支持体に、メモ台を、前記第１軸線と略直交した第２軸線回りに回動するように取付けて成る椅子であって、
前記可動支持体と固定支持体とには、メモ台が第１軸線回りに水平姿勢から起立姿勢まで回動し得るように回動角度を規制する第１規制手段を設けている一方、
前記第２軸線を、メモ台が水平姿勢のときには略鉛直方向に向き、メモ台が起立姿勢のときには左右水平方向に延びるように設定することにより、メモ台を水平姿勢のままで第２軸線回りに水平旋回させ得るようになっている、
メモ台付き椅子。
【請求項２】
前記固定支持体は、着座した人の大腿部よりも上方の高さ位置において椅子の後部から手前側に延びる片持ち梁状に形成されており、この固定支持体の前端部に前記可動支持体を取付けている一方、前記メモ台には、可動支持体の前端部に設けた可動支持体に回動自在に取付けるための穴又は切欠きが表裏両側に開口するように形成されており、メモ台の表面に、前記穴又は切欠きを隠すカバーを装着している、
請求項１に記載したメモ台付き椅子。
【請求項３】
前記メモ台は、水平姿勢において左又は右の外端縁と後端縁とが連なるコーナー部寄りの箇所において前記可動支持体に取付けられていると共に、使用状態で着座者の側に面した端縁を、第１回動軸線から遠ざかるに従って着座者からの間隔が広がるように平面視円弧状又は傾斜状に形成している、
請求項１又は請求項２に記載したメモ台付き椅子。
【発明の詳細な説明】
【０００１】
【発明の属する技術分野】
本発明は、跳ね上げ回動式のメモ台（小テーブル）を備えた椅子に関するものである。
【０００２】
【従来の技術】
椅子に可動式メモ台を取付ける技術に関する先行技術としては、例えば、特許文献１（実公昭４７−４１２２０号公報）や特許文献２（実公昭５６−１６１２２号公報）、特許文献３（実公平７−２０８９９号公報）や特許文献４（特開平９−２８５０９号公報）などが存在している。
【０００３】
これらの先行技術は、いずれも、座の側部上方に設けた固定支持体と、固定支持体に回動自在に取り付けた可動支持体と、可動支持体に回動自在に取り付けたメモ台とを備えており、固定支持体に対する可動支持体の回動と可動支持体に対するメモ台の回動との組合せにより、メモ台を水平状の使用状態と椅子の側部において鉛直状と成した収納状態とに変更できるようにしている。固定支持体として肘当てを兼用することもある。
【０００４】
そして、可動支持体は、椅子の正面視で左右方向に延びる第１軸線回りに回動するように固定支持体に取り付けられており、メモ台は、椅子の正面視で前後方向に延びる第２軸線回りに回動するように可動支持体に取り付けられている。
【０００５】
従って、メモ台を収納状態から使用状態と成すには、着座した人は、メモ台の先端部に手を当てて手前に引き起こすことにより、メモ台を椅子の側部において正面視鉛直状の姿勢にして、それから、腹部の前方に向けて倒している。収納は逆の手順で行う。
【０００６】
【特許文献１】
実公昭４７−４１２２０号公報
【特許文献２】
実公昭５６−１６１２２号公報
【特許文献３】
実公平７−２０８９９号公報
【特許文献４】
特開平９−２８５０９号公報
【０００７】
【発明が解決しようとする課題】
ところで、着座した人が上半身を前傾させたりずらし移動させたりすることにより、メモ台に水平旋回させるような外力が生じることがあるが、従来技術ではメモ台は水平姿勢で水平旋回に不能に保持されているため、身体で押されることによってメモ台（の取付け箇所）に過大な外力が掛かったり、逆に使用者の腹部が圧迫されたりする虞があった。
【０００８】
また、使用者が何らかの理由で一時的に起立することがあるが、この場合はメモ台を起さなければならないため、メモ台に載せた書類やノート型パソコンの処理が極めて厄介であり、使い勝手が悪いという問題があった。
【０００９】
また、メモ台を水平状の姿勢のままで着座したり席を離れたりしたいことがあるが、従来のメモ台は水平姿勢にすると着座者の前方を塞ぐような状態になるため、メモ台を水平姿勢にしたままでは離着席しにくく、この面でも使い勝手が良くなかった。また、従来の固定支持体は座の側部から立ち上がっているため、着座した人が足を広げようとすると太腿部が固定支持体に当たって、使い勝手が悪い点も問題であった。
【００１０】
更に、メモ台を可動支持体に取付けるにおいて、取付けのための穴又は切欠きをメモ台の表面に開口させると、メモ台の下面に固定したブラケット類を可動支持体に取付ける場合に比べて、取付け用の部材をメモ台の肉厚部内に収納してコンパクト化できと共に、取付け作業も容易になる利点があるが、この場合、取付けのための穴又は切欠きの処理が問題になる。
【００１１】
本発明は、このような現状を改善することを課題とするものである。
【００１２】
【課題を解決するための手段】
本発明において、椅子は、基本構成として、座の側部上方に設けた固定式支持体に、可動支持体を、椅子の正面視で略前後方向に延びる第１軸線の回りに回動するように取付け、この可動支持体に、メモ台を、前記第１軸線と略直交した第２軸線回りに回動するように取付けている。
【００１３】
そして、請求項１の発明では、前記可動支持体と固定支持体とには、メモ台が第１軸線回りに水平姿勢から起立姿勢まで回動し得るように回動角度を規制する第１規制手段を設けている一方、前記第２軸線を、メモ台が水平姿勢のときには略鉛直方向に向き、メモ台が起立姿勢のときには左右水平方向に延びるように設定することにより、メモ台を水平姿勢のままで第２軸線回りに水平旋回させ得るようになっている。
【００１４】
請求項２の発明では、請求項１において、前記固定支持体は、着座した人の大腿部よりも上方の高さ位置において椅子の後部から手前側に延びる片持ち梁状に形成されており、この固定支持体の前端部に前記可動支持体を取付けいてる一方、前記モ台には、可動支持体の前端部に設けた可動支持体に回動自在に取付けるための穴又は切欠きが表裏両側に開口するように形成されており、メモ台の表面に、前記穴又は切欠きを隠すカバーを装着している。
【００１５】
請求項３の発明では、請求項１又は請求項２において、前記メモ台は、水平姿勢において左又は右の外端縁と後端縁とが連なるコーナー部寄りの箇所において前記可動支持体に取付けられていると共に、使用状態で着座者の側に面した端縁を、第１回動軸線から遠ざかるに従って着座者からの間隔が広がるように平面視円弧状又は傾斜状に形成している。
【００１６】
【発明の作用・効果】
本発明によると、メモ台は水平姿勢の状態で水平旋回させることができるため、着座した人が身体を前傾させてメモ台に当たった場合、メモ台が逃げ回動することにより、メモ台の取付け箇所に負担が掛かったり人の腹部が圧迫されたりすることを防止できて、耐久性と安全性とに優れている。
【００１７】
また、使用者は、メモ台に書類やノート型パソコン等を載せたままで、身体から離れるように水平旋回させることにより、質問等のために一時的に起立することを容易に行うことができ、また、メモ台は水平姿勢のままで離着席したりすることも簡単であり、このため使い勝手が頗る良い。
【００１８】
請求項２のように構成すると、固定支持体は着座した人の大腿部の上方に位置していることにより、着座した人が足を広げても大腿部が固定支持体に当たることはないため、椅子を快適に使用することができる。また、メモ台を取付けるための部材をメモ台の肉厚部内に収納してコンパクト化できる。更に、取付け作業も容易にできるという利点を損なうことなく、取付けのための穴又は切欠きを美麗に処理して美感と安全性とを確保することができる。
【００１９】
更に請求項３のように構成すると、人は、メモ台が人の腹部に当たることを防止又は抑制しつつ、メモ台を水平姿勢にしたままで椅子に離着席することができるため、使い勝手を更に向上させることができる。
【００２０】
【発明の実施形態】
次に、本発明の実施形態を図面に基づいて説明する。
【００２１】
（１）．椅子の概要
先ず、図１〜図６に基づいて椅子の概要を説明する。本発明は、前後スタッキング可能なパイプ椅子に適用しており、図１の斜視図に示すように、椅子は、側面視で後傾姿勢の左右前脚２及び前傾姿勢の後脚３より成る脚装置１と、脚装置１で支持された座４と、同じく脚装置に取付けた背もたれ５と、メモ台６とを備えている。左右の前脚２は横杆７で連結されている。脚装置１や横杆７は金属パイプより成っている。
【００２２】
図２はメモ台６を水平姿勢にした状態での平面図、図２はメモ台６を収納した状態での右側面図、図４はメモ台６を収納して前後方向にスタッキングした状態での平面図、図５はメモ台６を収納して前後方向にスタッキングした状態での右側面図、図６は図２のＶＩ−ＶＩ視断面図、図７はメモ台６の動きを示す概念図である。
【００２３】
座４は、その後部を中心にして跳ね上げ回動し得るように左右前脚２の上端部に回動自在に取付けられている。回動中心を図１において符号８で示している。水平状の姿勢は横杆７で保持される。座４は支持フレームや座板、クッションなどを備えている（勿論、他の構造でも良い）。
【００２４】
前後の脚２，３の上端部は継手９によって接続されている。後脚３の上端部は継手９から上向きに突出しており、この上向き突出部３ａに、合成樹脂より成る背もたれ５の左右下端に一体に設けた筒部５ａを嵌め込み装着している。背もたれ５にクッションを設けても良い。
【００２５】
メモ台６は、背もたれ５における一方（椅子の正面視で左側）の筒部５ａから延びる金属パイプ製の固定支持体１０の先端部に取付けられている。固定支持体１０は、背もたれ５の筒部５ａから傾斜状に立ち上がって水平前向きに延びる形状であり、図６に示すように、その後端部には、後脚３の上向き突出部３ａにきっちり嵌まる棒材１２をスポット溶接等の適宜手段で固定し、背もたれ５の筒部５ａと後脚３の上向き突出部３ａと棒材１２とをねじ１３で一体に固定している。
【００２６】
強度さえ確保できれば、固定支持体１０を背もたれ５の筒部５ａに固定することも可能である。また、後脚３の上向き突出部３ａ又は背もたれ５の筒部５ａには、メモ台台用の固定支持体１０と肘当ての支持部材とを選択的に取付けることも可能である。左右後脚３のうち、片方の上向き突出部３ａに固定支持体１０を取付けて、他方の上向き突出部３ａに肘掛け装置（図示せず）を取付けることも可能である。
【００２７】
メモ台６として図２と平面視対称形状のものを用意して、そのいずれかを左右脚部のいずれか（又は背もたれの左右側部のいずれか）に選択的に取付けることも可能である。この場合は、右利き用と左利き用とに対応できる利点である。
【００２８】
（２）．メモ台及びその動きの概要
図２から容易に理解できるように、固定支持体１０は、先端に行くに従って平面視で座４との間隔が広がるよう平面視傾斜姿勢になっている。これは、前後方向のスタッキングを可能にするためであるが、着座した人の腕は座４の左右外側にはみ出る傾向を呈するため、メモ台６を使い易くする利点も備えている。
【００２９】
ところで、従来のメモ台は平面姿勢で略矩形か略Ｌ字状に形成されていることが殆どである。これに対して本実施形態のメモ台６は、水平状の使用姿勢において、外側縁６ａは固定支持体１０とほぼ平行に延び、前端縁６ｂは略左右方向に延び、後端縁６ｃと先端縁６ｄとは滑らかに連続する円弧状に形成している。図７の模式図に示すように、後端縁６ｃと先端縁６ｄとが傾斜部６ｅを介して連続する形態でも良い。
【００３０】
メモ台６は、固定支持体１０の上部（水平部）と同心状に延びる第１軸線１４を中心にして回動し得ると共に、第１軸線１４と直交した第２軸線１５を中心にして回動し得る。
【００３１】
従って、図７に模式式に示すように、メモ台６は、水平姿勢のままで第２軸線１５を中心にして回動可能であると共に、第１軸線１４を中心にして跳ね上げ回動してから第２軸線１５を中心にして回動させることにより、図３に実線で示すように、椅子の側部の邪魔にならない姿勢に収納することができる。
【００３２】
図３に示すように、メモ台６は、水平状態での前端縁６ｂが側面視で前脚２とほぼ平行の姿勢となる状態まで回動させ得るように、９０度よりも大きい角度（例えば１４０度前後）で回動させ得るように設定している。これは、収納状態での美感を向上させるためである。もちろん、第２軸線１５を中心にして９０度程度回動するように設定して、収納状態で前端縁６ｂが側面視で略水平状の姿勢なるように設定しても良い。
【００３３】
第２軸線１５は固定支持体１０の水平部と直交しており、メモ台６が第１軸線１４を中心に回動すると第２軸線１５の姿勢は変化し、メモ台６が水平姿勢のときには第２軸線１５は鉛直姿勢となる。従って、メモ台６は水平姿勢のままで、外縁及び後端縁とのコーナー部を中心にして水平回動させることができる。
【００３４】
メモ台６は、図２及び図７の実線で示すように前端縁６ｂが左右方向に延びる姿勢を基本的使用姿勢として、これから、第２軸線１５を中心にして図２に白抜き矢印で示す方向に大きく水平回動させることができる。
【００３５】
メモ台６を使用状態から収納する場合は、図２の姿勢から第１軸線１４を中心に跳ね上げ回動させ、次いで、第２軸線１５を中心にして前方に倒しても良いし、或いは、図７に一点鎖線で示すように、メモ台６をその前端縁６ｂが前後方向に延びるように大きく水平回動させてから、第１軸線１４を中心にして回動させ、更に、第２軸線１５を中心にして回動させても良い。
【００３６】
複数の椅子を左右に平成していてメモ台６をあまり大きく水平回動させることができない場合は、図３の二点鎖線で示すように第１軸線１４を中心にして起立姿勢に回動させてから、第２軸線１５を中心にして下向きに回動させることになる。
【００３７】
（３）．メモ台の取付け構造の詳細
次に、図８以下の図面を参照して、メモ台６の取付け構造を詳述する。
【００３８】
図８は図２のＶＩＩＩ−ＶＩＩＩ視断面図、図９は部分的な分離斜視図、図１０は図８の　Ｘ−Ｘ視断面図、図１１は一部の部材を省略した平面図、図１２は図１１のＸＩＩ−ＸＩＩ　視断面図、図１３は部材の分離側面図、図１４は一部の部材を示す図で、（Ａ）〜（Ｃ）の群は平面図、（Ａ′）〜（Ｃ′）の群はそれぞれ（Ａ）〜（Ｃ）の群の縦断側面図、図１５は図１１のＸＶ−ＸＶ視断面図、図１６は部分的な断面図である。
【００３９】
図９に明瞭に示すように、固定支持体１０の先端部には、当該固定支持体１０の先端から露出した金属製の支持棒１７がスポット溶接や圧入等の手段で固定されており、支持棒１７には、上面及び一側面に開口した切欠き１８が形成されている。
【００４０】
図１３に示すように、メモ台６の取付け装置は、支持棒１７及び固定支持体１０の先端部を下方から覆う略半球状のベース１９と、支持棒１７のうち切欠き１８よりも先端側の部位に上方から重なる第１スペーサ２０と、支持棒１７のうち切欠き１８よりも基端側の部位に重なる第２スペーサ２１と、両スペーサ２０，２１及びベース１９の上面に重なる押さえ板２２と、押さえ板２２の上面に重なる摩擦板２３と、摩擦板２３の上面に重なるブラケット板２４と、ブラケット板２４を押さえ板２２に取付けるための第１ビス２５と、ブラケット板２４を塞ぐ平面視円形のカバー２６とを備えている。
【００４１】
本実施形態では、ベース１９と両スペーサ２０，２１と押さえ板２２とで請求項に記載した可動支持体が構成されている。両スペーサ２０，２１と摩擦板２３、及びカバー２６は合成樹脂からなっており（もちろん金属製でも良い）、他の部材は金属製である。摩擦板２３は、摩擦係数の大きい樹脂からなっているが、他の素材でも良い。
【００４２】
メモ台６のコーナー部には略半円状の取付け穴２７が切り開き形成されている。ブラケット板２４は平面視略扇形に形成されており、取付け穴２７よりも外側の部位においてメモ台６に第２ビス２８で固定されている。本実施形態ではメモ台６は木製であり、図１２に示すように、外周には合成樹脂製のエッジ２９を嵌着している。
【００４３】
ベース１９には、支持棒１７が上方から嵌まる断面Ｕ字状の上向き溝３０が形成されており、上向き溝３０と連通して、第１スペーサ２０が軸方向にずれ不能に嵌まる第１凹所３１と、第２スペーサ２１が嵌まる第２凹所３２と、支持棒１７の切欠き１８に対応した第３凹所３３とが形成されている。
【００４４】
両スペーサ２０，２１はベース１９の上面と略同一面を成している。そして、図１４から容易に理解できるように、押さえ板２２を４本の第３ビス３４でベース１９の上面に固定している。このため、押さえ板２２と両スペーサ２０，２１とベース１９とは一体に保持されていると共に、三者は、支持棒１７の軸心（第１軸線）１４を中心にして回動できる。図１４の符号３５は第３ビス３４の挿入穴、符号３６は第３ビス３４がねじ込まれるタップ穴である。
【００４５】
図８や図９に示すように、第１スペーサ２０には、支持棒１７の先端に重なる垂下部２０ａを設けており、これを第４ビス３８で支持棒１７の端面に固定している。第１スペーサ２０は軸方向にずれ不能の状態でベース１９に嵌まっているため、支持棒１７はベース１９から抜け不能に保持されている。また、第２スペーサ２１は支持棒１７と固定支持体１０との段部に重なっているため、外向き抜け不能に保持されている。
【００４６】
支持棒１７の下面には、請求項に記載した第１規制手段の一環として、半径外向きに突出した固定ストッパー３９を設けている。メモ台６が水平状の姿勢の状態では、固定ストッパー３９は、ベース１９における第３凹所３３の内側面３３ａに当たることにより、水平状態が保持される。従って、本実施形態では第３凹所３３も請求項に記載した第１規制手段を構成している。
【００４７】
他方、押さえ板２２の下面には、メモ台６が正面視で鉛直姿勢になるように回動すると固定ストッパー３９に当たる可動ストッパー４０を固定している。従って、可動ストッパー４０も請求項に記載した第１規制手段を構成している。
【００４８】
両スペーサ２０，２１は合成樹脂製であるため、メモ台６を第１軸線回りに回動させるに際して金属音が発生することを防止又は抑制できる。また、適度の摩擦を利かせることよより、メモ台６がバタンと回動することを防止できる。すなわち、ダンパー効果を発揮させることもできる。
【００４９】
押さえ板２２の下面にはナット４１を溶接によって固着しており（押さえ板２２にタップ穴を形成しても良い）、このナット４１に第１ビス２５をねじ込んでいる。前記支持棒１７に切欠き１８を形成しているのは、第１ビス２５との干渉を防止するためである。図８や図１３から理解できるように、摩擦板２３には複数本の係合突起４２を一体に設けており、これを押さえ板２２に設けた係合穴４３に嵌め込んでいる。符号３７は座金である。
【００５０】
従って、摩擦板２３は押さえ板２２と一体に保持されており、ブラケット板２４と摩擦板２３とが相対低に回動する。摩擦板２３の存在により、メモ台６を第２軸線１５回りに回動させるに際して適度の抵抗を付与できるため、バタンと勢い良く倒れ回動することが防止して、衝撃を防止できる。抵抗付与手段としては、摩擦板には限らずばねを介在させるなどしても良い。
【００５１】
ブラケット板２４のうち摩擦板２３と重なった部分は上向きに段上がりしている。このため、取付け装置の全体の厚さを薄くしてコンパクト化することができる。また、ブラケット板２４の上面には上向き筒部４４を一体に固定する一方、カバー２６には、筒部５ａにきっちり嵌まる下向き筒部４５を設けており、これら筒部４４，４５の嵌め合わせによってカバー２６を位置決めしている。図示していないが、カバー２６は、係合爪のような係合手段により、弾性に抗しての変形を利用して押さえ板２２に着脱自在に取付けられる。
【００５２】
例えば図１１に示すように、ブラケット板２４には、押さえ板２２の外向き出縁に沿って延びる円弧状の切欠き部４６が形成されている。他方、ベース１９には、ブラケット板２４の切欠き４６の箇所に位置したストッパーピン４７を突設しており、切欠き部４６の両端縁４６ａがストッパーピン４７に当たることにより、メモ台６が第２軸線１５を中心に回動する角度が規制される。符号４８はストッパーピン４７がねじ込まれるタップ穴である。
【００５３】
本実施形態では、ストッパーピン４７と切欠き部４６とが請求項に記載した第２規制手段を構成している。切欠き部４６に代えて、ブラケット板２４に長穴を形成しても良い。また、切欠き部４６や長穴に代えて、ブラケット板２４の下面に、ストッパーピン４７に当たる２本の下向き突起を設けるなどしても良い。
【００５４】
図１０や図１６に示すように、ベース１９と押さえ板２２と摩擦板２３とに貫通する穴４９を設けて、この穴４９に、ばね５０とボール５１とを嵌め入れる一方、ブラケット板２４には、メモ台６を水平姿勢にした使用状態（図２の状態）のときと、図３のような収納状態のときとでボール５１が選択的に嵌まるキャッチ穴５２を設けている。このため、基準使用姿勢及び収納姿勢をカチッという音と感触とで確認できる。
【００５５】
（４）．まとめ
上述の説明から既に理解できるように、メモ台６は水平姿勢のままで水平旋回させることができるため、使用者が身体を前にずらしても腹部を圧迫したりメモ台６に大きな外力が掛かったりすることがなくて、安全性に優れている。また、身体の大きい人はメモ台６を前方に押しやるように回動させることにより、窮屈さをなくした状態で使用できる。
【００５６】
更に、水平姿勢のままで離着席することができて、便利である。特に、メモ台６の後端縁６ｃと先端縁６ｄとが滑らかに連なる円弧状に形成すると、離着席を安全かつスムースに行うことができて、特に好適である。
【００５７】
本実施形態のような半球状のベース１９を使用すると、手が触れても安全であると共に美感にも優れている利点がある。また、固定支持体１０をパイプとこれに取付けた支持棒１７とで構成すると、構造が簡単になる利点がある。
【００５８】
本実施形態のように、固定支持体１０を脚装置１の後部（又は背もたれ５の側部）から前向きに延びる片持ち梁状に形成して、その前端部（自由端部）にメモ台６を取付けると、固定支持体１０の下方には障害物でないため使用者は足を自由に左右移動できてより一層使い勝手が良い利点である。また、前後スタッキングが容易になる利点もある。
【００５９】
棒状又はパイプ状の固定支持体１０を片持ち梁状の態様と成す手段としては、後脚３の上部に取付けることには限らず、背もたれの側部にねじ止め等によって固定したり（固定支持体を背もたれに一体成形することも可能である）、座の後部に固定したりするなど、椅子の構造等に応じて選択したら良い。
【００６０】
また、前向きに延びる片持ち梁状の固定支持体の前端部にメモ台を取付ける具体的な構造は実施形態に限定されるものではなく、例えば、可動支持体をメモ台の下面にねじ等で固定するなど、カバー２６を備えていない構造であっても良いのである。なお、固定支持体の断面形状は円形には限らず、拡大や楕円形、小判形等の他の形状でも良い。
【００６１】
ベース１９と押さえ板２２とで支持棒１７を上下から挟む構成にすると、取付けを簡単に行える。また、メモ台６の取付け手順としては、ベース１９及び押さえ板２２を支持棒１７に取付けてから、ブラケット板２４を第１ビス２５で押さえ板２２に取付け、次いでカバー２６を装着するという単純な工程であるため、取付け作業も簡単に行える。
【００６２】
（５）．その他
本実施形態は上記の他に様々に具体化することができる。例えば、請求項１では必ずしもメモ台に穴や切欠きを形成する必要はなく、下面に固定したブラケット材を可動支持体に取付けても良い。
【００６３】
また、請求項２に記載したカバーとは、文字通りの保護機能だけを目的にしたものに限定する趣旨ではなく、メモ台の取付け機能を兼用していても良い。要は、メモ台の表面側に開口した穴や切欠きが美麗に塞がれていたら良い。また、カバーは必ずしも平面視円形には限らず、平面視半円状や扇形など、様々の形態にできる。
【００６４】
また、本発明はパイプ椅子のみでなく、ベンチを含む他の様々の形態の椅子に適用することができる。
【図面の簡単な説明】
【図１】椅子の斜視図である。
【図２】メモ台を水平姿勢にした状態での平面図である。
【図３】メモ台を収納した状態での右側面図である。
【図４】メモ台を収納して椅子をスタッキングした状態の平面図である。
【図５】メモ台を収納して椅子をスタッキングした状態の右側面図である。
【図６】図２のＶＩ−ＶＩ視断面図である。
【図７】メモ台の動きを示す概念図である。
【図８】図２のＶＩＩＩ−ＶＩＩＩ視断面図である。
【図９】部分的な分離斜視図である。
【図１０】図８の　Ｘ−Ｘ視断面図である。
【図１１】一部の部材を省略した平面図である。
【図１２】図１１のＸＩＩ−ＸＩＩ　視断面図である。
【図１３】部材の分離側面図である。
【図１４】一部の部材を示す図で、（Ａ）〜（Ｃ）の群は平面図、（Ａ′）〜（Ｃ′）の群はそれぞれ（Ａ）〜（Ｃ）の群の縦断側面図である。
【図１５】図１１のＸＶ−ＸＶ視断面図である。
【図１６】部分的な断面図である。
【符号の説明】
１　脚装置
４　座
６　メモ台
１０　固定支持体
１４　第１軸線
１５　第２軸線
１７　支持棒
１９　ベース
２０　第１スペーサ
２１　第２スペーサ
２２　押さえ板
２３　摩擦板
２４　ブラケット板
２５　第１ビス
２６　カバー
【図１】
2004129721.tif 000003
【図２】
2004129721.tif 000004
【図３】
2004129721.tif 000005
【図４】
2004129721.tif 000006
【図５】
2004129721.tif 000007
【図６】
2004129721.tif 000008
【図７】
2004129721.tif 000009
【図８】
2004129721.tif 000010
【図９】
2004129721.tif 000011
【図１０】
2004129721.tif 000012
【図１１】
2004129721.tif 000013
【図１２】
2004129721.tif 000014
【図１３】
2004129721.tif 000015
【図１４】
2004129721.tif 000016
【図１５】
2004129721.tif 000017
【図１６】
2004129721.tif 000018